(57)【要約】  輪切型ポンプは、輪切型ポンプに注入される流体を受容するように構成されている低圧端と、輪切型ポンプから注入される流体を提供するように構成されている高圧端と、中間フランジ及び高圧端を連結するように構成されている上タイロッドと、中間フランジ及び低圧端を連結するように構成されている下タイロッドと、を備える中間フランジを有する中間タイロッド集合体とを特徴とする。低圧端は入口フランジを有し、高圧端は出口／吐出フランジを有し、上タイロッドは中間フランジ及び出口／吐出フランジを連結し、下タイロッドは中間フランジ及び入口フランジを連結する。【選択図】図３Ａ
2019520515.tif 000002
【特許請求の範囲】
【請求項１】
輪切型ポンプであって、
前記輪切型ポンプに注入される流体を受容するように構成されている低圧端と、
前記輪切型ポンプから注入される前記流体を提供するように構成されている高圧端と、
少なくとも１つの中間フランジ及び前記高圧端を連結するように構成されている上タイロッドと、前記少なくとも１つの中間フランジ及び前記低圧端を連結するように構成されている下タイロッドと、を備える、少なくとも１つの中間フランジを有する少なくとも１つの中間タイロッド集合体と、を含む、輪切型ポンプ。
【請求項２】
前記低圧端が入口フランジを含み、
前記高圧端が出口／吐出フランジを含み、
前記上タイロッドが、前記少なくとも１つの中間フランジ及び前記出口／吐出フランジを連結し、前記下タイロッドが、前記少なくとも１つの中間フランジ及び前記入口フランジを連結する、請求項１に記載の輪切型ポンプ。
【請求項３】
前記出口／吐出フランジが、前記上タイロッドの端部を受容するように、孔を備えて構成され、
前記入口フランジが、前記下タイロッドの対応する端部を受容するように、対応する孔を備えて構成され、
前記少なくとも１つの中間フランジが、前記上タイロッドの対向端を受容して、前記少なくとも１つの中間フランジ及び前記出口／吐出フランジを連結するように、第１の関連孔セットを備えて構成され、また、前記下タイロッドの対応する対向端を受容して、前記少なくとも１つの中間フランジ及び前記入口フランジを連結するように、第２の関連孔セットを備えて構成される、請求項２に記載の輪切型ポンプ。
【請求項４】
前記出口／吐出フランジが、前記上タイロッドのねじ付き端を受容して、前記出口／吐出フランジ及び前記上タイロッドを連結するように、ねじ付き孔を備えて構成される、請求項３に記載の輪切型ポンプ。
【請求項５】
前記入口フランジが、対応する孔により、前記下タイロッドの対応するねじ付き端が前記入口フランジを通り、対応するねじ付きナットで前記入口フランジに固定され得るように構成されている、請求項３に記載の輪切型ポンプ。
【請求項６】
前記少なくとも１つの中間フランジが、前記第１の関連孔セットにより、前記上タイロッドのねじ付き対向端が前記少なくとも１つの中間フランジを通り、第１の関連ねじ付きナットセットで前記少なくとも１つの中間フランジに固定され得るように構成されている、請求項３に記載の輪切型ポンプ。
【請求項７】
前記中間フランジが、前記第２の関連孔セットにより、前記下タイロッドの対応するねじ付き対向端が前記少なくとも１つの中間フランジを通り、第２の関連ねじ付きナットセットで前記少なくとも１つの中間フランジに固定され得るように構成されている、請求項３に記載の輪切型ポンプ。
【請求項８】
前記少なくとも１つの中間フランジが少なくとも１つの中間フランジ連結部を含み、
前記輪切型ポンプが、前記高圧端と前記低圧端との間の少なくとも１つの中間位置において前記少なくとも１つの中間フランジ連結部を受容し、係合するように構成されている、隣接する輪切部、つまり段を含む、請求項１に記載の輪切型ポンプ。
【請求項９】
前記輪切型ポンプが、前記低圧端と前記高圧端との間に構成されている輪切部、つまり段を含み、
前記少なくとも１つの中間タイロッド集合体が、前記中間フランジと前記高圧端との間で第１の輪切部セット、つまり段セットを連結する前記上タイロッドを備える高圧中間タイロッド集合体を含み、前記中間フランジと前記低圧端との間で第２の輪切部セット、つまり段セットを連結する前記下タイロッドを備える低圧中間タイロッド集合体を含む、請求項１に記載の輪切型ポンプ。
【請求項１０】
前記高圧中間タイロッド集合体内の前記上タイロッドの数が、前記低圧中間タイロッド集合体内の対応する前記下タイロッドの数よりも多い、請求項９に記載の輪切型ポンプ。
【請求項１１】
前記高圧中間タイロッド集合体内で連結される前記第１の輪切部セット、つまり段セットの数が、前記低圧中間タイロッド集合体内で連結される、対応する前記第２の輪切部セット、つまり段セットの数よりも少ない、請求項９に記載の輪切型ポンプ。
【請求項１２】
前記低圧端が、前記輪切型ポンプに注入される前記流体を受容するように、前記輪切型ポンプの一端に構成されている吸込ベルを含み、
前記高圧端が、前記輪切型ポンプから注入される前記流体を提供し、前記輪切型ポンプを取り付けるように、前記輪切型ポンプの反対端に構成されている吐出ケーシングを含み、
前記少なくとも１つの中間フランジは、前記上タイロッドが前記少なくとも１つの中間フランジ及び前記吐出ケーシングを連結し、前記下タイロッドが前記少なくとも１つの中間フランジ及び前記吸込ベルを連結するように構成されている、請求項１に記載の輪切型ポンプ。
【請求項１３】
前記少なくとも１つの中間タイロッド集合体が、複数の中間タイロッド集合体を含む、請求項１に記載の輪切型ポンプ。
【請求項１４】
前記少なくとも１つの中間タイロッド集合体が、第１の中間タイロッド集合体と、第２の中間タイロッド集合体と、を含み、
前記第１の中間タイロッド集合体が、第１の中間フランジ及び前記高圧端を連結するように構成されている前記上タイロッドと、前記第１の中間フランジ及び前記第２の中間タイロッド集合体の一部を形成する第２の中間フランジを連結するように構成されている中間タイロッドと、を備える、第１の中間フランジを有し、
前記第２の中間タイロッド集合体が、前記第２の中間フランジ及び前記低圧端を連結するように構成されている下タイロッドを有する、請求項１に記載の輪切型ポンプ。
【請求項１５】
輪切型ポンプであって、
前記輪切型ポンプに注入される流体を受容するように構成されている低圧端と、
前記輪切型ポンプから注入される前記流体を提供するように構成されている高圧端と、
少なくとも１つの中間フランジ及び前記高圧端を連結するように構成されている上カプラーと、前記少なくとも１つの中間フランジ及び前記低圧端を連結するように構成されている下カプラーと、を備える、少なくとも１つの中間フランジを有する少なくとも１つの中間連結集合体と、を含む、輪切型ポンプ。
【請求項１６】
前記上カプラーが上タイロッドを含み、
前記下カプラーが下タイロッドを含む、請求項１５に記載の輪切型ポンプ。
【請求項１７】
前記低圧端が入口フランジを含み、
前記高圧端が出口／吐出フランジを含み、
前記上タイロッドが、前記少なくとも１つの中間フランジ及び前記出口／吐出フランジを連結し、前記下タイロッドが、前記少なくとも１つの中間フランジ及び前記入口フランジを連結する、請求項１６に記載の輪切型ポンプ。
【請求項１８】
装置であって、
処理される流体を受容するように構成されている低圧端と、
前記処理される流体を提供するように構成されている高圧端と、
少なくとも１つの中間フランジ及び前記高圧端を連結するように構成されている上タイロッドと、前記少なくとも１つの中間フランジ及び前記低圧端を連結するように構成されている下タイロッドと、を備える、少なくとも１つの中間フランジを有する少なくとも１つの中間タイロッド集合体と、を含む、装置。
【請求項１９】
前記低圧端が入口フランジを含み、
前記高圧端が出口／吐出フランジを含み、
前記上タイロッドが、前記少なくとも１つの中間フランジ及び前記出口／吐出フランジを連結し、前記下タイロッドが、前記少なくとも１つの中間フランジ及び前記入口フランジを連結する、請求項１８に記載の装置。
【請求項２０】
前記装置が輪切型ポンプを含む、請求項１８に記載の装置。
【発明の詳細な説明】
【背景技術】
【０００１】
１．技術分野
本願は、ポンプ、より具体的にはタイロッドを有する輪切型ポンプに関する。
【０００２】
２．関連技術の簡単な説明
例として、図１Ａ、図１Ｂ、図２Ａ、及び図２Ｂは、当該技術分野において周知の輪切型タイロッドポンプを示す。図１Ａ及び図１Ｂは、例えば、垂直に配置され、取り付けられ、油だめに関して使用され得る輪切型タイロッドポンプを示す。対照的に、図２Ａ及び図２Ｂは、水平に取り付けられ、他のポンピング用途に関して使用され得る輪切型タイロッドポンプを示す。
【０００３】
従来の輪切型タイロッドポンプは、全段の全長に延在するタイロッドを備えて作製される。この解決法は、短いポンプの場合には十分であるが、長いポンプの場合、この配置は組み立てが困難であり、共振振動がより問題になりやすく、費用がかかるようになる。これは、タイロッドがポンプ全体の全圧を処理する必要があるためである。長径間のタイロッドはまた、輪切型アセンブリの捻転に対する抵抗力が弱い。実際には、現在の設計は、ポンプアセンブリの全長にまたがる、単一サイズのタイロッドのみに限定されている。
【０００４】
したがって、周知の輪切型タイロッドポンプに伴う上記の問題を排除する、より良好なタイロッド配置を有する輪切型タイロッドポンプに対するニーズが当該業界に存在する。
【発明の概要】
【０００５】
要約すると、本発明は、ポンプアセンブリ端に類似の方法で、両側からタイロッド終端を受容する１つ以上の中間フランジ、つまり中間片を取り付けるための技法を提供する。
【０００６】
組み立ての困難性は、本発明によってタイロッド端の径間を低減することで軽減される。タイロッド取り付け前の支持されていない段が減少するため、組み立て工程はより安全である。また、より良好にポンプの部品が整列され、より短い径間での整列の測定が容易になる。
【０００７】
本発明はまた、潜在的な構造上の振動問題に対する解決法を提供する。この配置は、ポンプ構造の自然振動数を変化させて共振振動を低減するためのより多くの選択肢を可能にする。本発明は、輪切型ポンプの圧力処理能に対して最適化された解決法である。これにより、ポンプの低圧部用タイロッドを低減できる。また、高価な材料を追加することなく、段及び圧力処理を増加することができる。本発明はまた、輪切部が最高の輪切部間トルク（互いに対して輪切部を回転させようとする力）を受ける領域において、ポンプアセンブリをより強化する。
【本発明の具体的な実施形態】
【０００８】
いくつかの実施形態によると、本発明は、例えば、輪切型ポンプなどの装置の形態であってよく、
輪切型ポンプに注入される流体を受容するように構成されている低圧端と、
輪切型ポンプから注入される流体を提供するように構成されている高圧端と、
少なくとも１つの中間フランジ及び高圧端を連結するように構成されている上タイロッドと、少なくとも１つの中間フランジ及び低圧端を連結するように構成されている下タイロッドと、を備える、少なくとも１つの中間フランジを有する少なくとも１つの中間タイロッド集合体とを特徴とする。
【０００９】
この装置は、１つ以上の以下の特徴を有してよい。
すなわち、低圧端は、入口フランジを含んでよく、高圧端は、出口／吐出フランジを含んでよく、上タイロッドは、少なくとも１つの中間フランジ及び出口／吐出フランジを連結してよく、下タイロッドは、少なくとも１つの中間フランジ及び入口フランジを連結してよい。
【００１０】
出口／吐出フランジは、上タイロッドの端部を受容するように、孔を備えて構成されてよい。例として、出口／吐出フランジは、上タイロッドのねじ付き端を受容して、出口／吐出フランジ及び上タイロッドを連結するように、ねじ付き孔を備えて構成されてよい。
【００１１】
入口フランジは、下タイロッドの対応する端部を受容するように、対応する孔を備えて構成されてよい。更なる例として、入口フランジは、対応する孔により、下タイロッドの対応するねじ付き端が入口フランジを通り、対応するねじ付きナットで入口フランジに固定され得るように構成されてよい。
【００１２】
少なくとも１つの中間フランジは、上タイロッドの対向端を受容して、少なくとも１つの中間フランジ及び出口／吐出フランジを連結するように、第１の関連孔セットを備えて構成されてよく、また、下タイロッドの対応する対向端を受容して、少なくとも１つの中間フランジ及び入口フランジを連結するように、第２の関連孔セットを備えて構成されてよい。
【００１３】
第１の関連孔セットは、上タイロッドの対応するねじ付き対向端が少なくとも１つの中間フランジを通り、第１の関連ねじ付きナットセットで少なくとも１つの中間フランジに固定され得るように構成されてよい。
【００１４】
第２の関連孔セットは、下タイロッドの対応するねじ付き対向端が少なくとも１つの中間フランジを通り、第２の関連ねじ付きナットセットで少なくとも１つの中間フランジに固定され得るように構成されてよい。
【００１５】
少なくとも１つの中間フランジは、少なくとも１つの中間フランジ連結部を含んでよく、輪切型ポンプは、高圧端と低圧端との間の少なくとも１つの中間位置において少なくとも１つの中間フランジ連結部を受容し、係合するように構成されている、隣接する輪切部、つまり段を含んでよい。例として、隣接する輪切部、つまり段のうちの１つは、少なくとも１つの中間フランジ連結部を受容し、係合するように、切欠き部を備えて構成されてよい。
【００１６】
輪切型ポンプは、低圧端と高圧端との間に構成されている輪切部、つまり段を含んでよく、各輪切部、つまり段は、ケーシング、羽根車、ディフューザー、並びに他の部品／構成要素を備えて構成されてよい。
【００１７】
少なくとも１つの中間タイロッド集合体は、少なくとも１つの中間フランジと高圧端との間で第１の輪切段、つまり段を連結する上タイロッドを備える高圧中間タイロッド集合体を含んでよい。
【００１８】
少なくとも１つの中間タイロッド集合体はまた、少なくとも１つの中間フランジと低圧端との間で第２の輪切部セット、つまり段セットを連結する下タイロッドを備える低圧中間タイロッド集合体を含んでよい。
【００１９】
高圧中間タイロッド集合体内の上タイロッドの数は、例えば、通常動作中に高圧中間タイロッド集合体が受ける高ポンプ圧に基づいて、並びにポンプの用途に応じて、低圧中間タイロッド集合体内の対応する下タイロッドの数よりも多くてよい。
【００２０】
高圧中間タイロッド集合体内で連結されている第１の輪切部セット、つまり段セットの数は、例えば、ポンプの用途に応じて、低圧中間タイロッド集合体内で連結されている、第２の対応する輪切部セット、つまり段セットの数よりも少なくてよい。
【００２１】
低圧端は、輪切型ポンプに注入される流体を受容するように輪切型ポンプの一端に構成されている吸込ベルを含んでよく、高圧端は、輪切型ポンプから注入される流体を提供し、輪切型ポンプを取り付けるように、輪切型ポンプの反対端に構成されている吐出ケーシングを含んでよく、少なくとも１つの中間フランジは、上タイロッドが、少なくとも１つの中間フランジ及び吐出ケーシングを連結し、また、下タイロッドが、少なくとも１つの中間フランジ及び吸込ベルを連結するように構成されてよい。
【００２２】
発明の範囲では、タイロッドが、例えば、場合により、中間フランジ又はその周りを通るなど、全段にまたがるために構成されていることを含むことが意図されており、かかる実施形態が想定される。例として、実施形態は、吐出フランジから中間フランジまでの１つのタイロッドセットと、入口フランジから吐出フランジまでの別のタイロッドセットと、を有することを含んでよい。
【００２３】
例として、複数の中間タイロッド集合体を使用する実施形態が想定され、発明の範囲ではまた、これを含むことが意図される。例えば、３つのポンピング部を画定する２つの中間タイロッド集合体を有する輪切型ポンプは、以下のように構成されてよい。すなわち、第１の中間タイロッド集合体は、第１の中間フランジ及び高圧端を連結するように構成されている上タイロッドを備え、第１の中間フランジ及び第２の中間タイロッド集合体の一部を形成する第２の中間フランジを連結するように構成されている中間タイロッドを備える、第１の中間フランジを含んでよい。第２の中間タイロッド集合体は、第２の中間フランジ及び低圧端を連結するように構成されている下タイロッドを含んでよい。根底にある発明の趣旨の範囲内で４つ以上のポンピング部を画定する３つ以上の中間タイロッド集合体を有する輪切型ポンプの実施形態が想定され、発明の範囲ではまた、これを含むことが意図される。
【００２４】
低圧端と、高圧端と、少なくとも１つの中間タイロッド集合体とを特徴とする装置の実施形態が想定され、発明の範囲ではまた、これを含むことが意図される。低圧端は、処理される流体を受容するように構成されてよい。高圧端は、処理される流体を提供するように構成されてよい。少なくとも１つの中間タイロッド集合体は、少なくとも１つの中間フランジ及び高圧端を連結するように構成されている上タイロッドを備え、少なくとも１つの中間フランジ及び低圧端を連結するように構成されている下タイロッドを備える、少なくとも１つの中間フランジを含んでよい。この装置は、輪切型ポンプなどの形態、並びに流体を処理するための輪切部、つまり段を有し、連結された低圧端及び高圧端を備えて構成されている、周知の、若しくは将来的に今後開発されるいずれかの他のタイプの機器を含んでよい、又はこれらの形態であってよい。この装置はまた、本明細書に記載の１つ以上の他の特徴を含んでよい。
【図面の簡単な説明】
【００２５】
図面（必ずしも尺度どおりに描かれていない）は、以下の図を含む。
【図１Ａ】図１Ａは、例えば、垂直に配置され、取り付けられ、油だめに関して使用されてよく、当該技術分野において周知である、低圧ポンプ端と高圧ポンプ端との間に配置されている従来のタイロッドを有する輪切型タイロッドポンプの斜視図を示す。
【図１Ｂ】図１Ｂは、図１Ａに示される輪切型タイロッドポンプの断面図を示す。
【図２Ａ】図２Ａは、例えば、水平に取り付けられ、他のポンピング用途に関して使用されてよい、前側ポンプ端と後側ポンプ端との間に配置されている従来のタイロッドを有する、輪切型タイロッドポンプの斜視図を示す。
【図２Ｂ】図２Ｂは、例えば、水平に取り付けられ、他のポンピング用途に関して使用されてよい、低圧ポンプ端と高圧ポンプ端との間に配置されている従来のタイロッドを有する輪切型タイロッドポンプの断面図を示す。
【図３Ａ】図３Ａは、本発明のいくつかの実施形態による輪切型タイロッドポンプの斜視図を示し、この輪切型タイロッドポンプは、例えば、垂直に配置され、取り付けられ、油だめに関して使用されてよい、低圧ポンプ端と高圧ポンプ端との間に配置されている上タイロッド及び下タイロッドを備える、少なくとも１つの中間フランジ集合体を有する。
【図３Ｂ】図３Ｂは、図３Ａに示される輪切型タイロッドポンプの断面図を示す。
【図３Ｃ】図３Ｃは、旋回され、図３Ｂに示される、輪切型タイロッドポンプの中間部の拡大断面図を示す。
【００２６】
例えば、全体として図面の煩雑さを低減するために、各図にすべての参照番号が含まれるわけではない。
【発明を実施するための形態】
【００２７】
図１：基本的な装置１０
図３Ａ、図３Ｂ、及び図３Ｃは、例えば、輪切型ポンプ１０など装置１０の形態で本発明を示し、
輪切型ポンプ１０に注入される流体を受容するように構成されている低圧端１２と、
輪切型ポンプ１０から注入される流体を提供するように構成されている高圧端１４と、
少なくとも１つの中間フランジ１６及び高圧端１４を連結するように構成されている上タイロッド１８と、少なくとも１つの中間フランジ１６及び低圧端１２を連結するように構成されている下タイロッド２０と、を備える、少なくとも１つの中間フランジ１６を有する少なくとも１つの中間タイロッド集合体とを特徴とする。
【００２８】
輪切型ポンプ１０は、以下の特徴のうちの１つ以上を有してよい。
【００２９】
フランジ間連結装置の例
低圧端１２は、図３Ａ、図３Ｂ、及び図３Ｃに示されるものと一致して、吸込ベル１２ａと、吸込ベル、つまり入口フランジ１２ｂと、を含んでよく、高圧端１４は、出口／吐出ケーシング、つまりフランジ１４ａと、出口１４と、を含んでよく、上タイロッド１８は、少なくとも１つの中間フランジ１６及び出口／吐出ケーシング、つまりフランジ１２ｂを連結してよく、下タイロッド２０は、少なくとも１つの中間フランジ１６及び吸込ベル、つまり入口フランジ１２ｂを連結してよい。本発明では、フランジ間連結装置を使用して開示されるが、発明の範囲はこれに限定されるものではない。例えば、少なくとも１つの中間フランジ１６が、根底にある発明の趣旨の範囲内で低圧端１２及び高圧端１４の他の非フランジ部品／構成要素に連結されてよい他の実施形態が想定され、発明の範囲では、これを含むことが意図される。
【００３０】
上タイロッド及び下タイロッドの螺合の例
例として、上タイロッド１８及び下タイロッド２０は、少なくとも１つの中間フランジ１６、出口／吐出ケーシング、つまりフランジ１４ａ、及び吸込ベル、つまり入口フランジ１２ｂを以下のように連結してよい。
【００３１】
すなわち、出口／吐出ケーシング、つまりフランジ１４ａは、上タイロッド１８の端部（そのうちの１つは、１８ａとラベル付けされる）を受容するように、孔（そのうちの１つは１４ａ’とラベル付けされる、図３Ｂを参照）を備えて構成されてよい。例として、孔１４ａ’はねじ付き孔１４ａ’（図３Ｂを参照）として構成されてよく、上タイロッド１８の端部１８ａは、ねじ付き端１８ａ（図３Ｂを参照）として構成されてよい。ねじ付き集合体では、出口／吐出ケーシング、つまりフランジ１４ａのねじ付き孔１４ａ’は、上タイロッド１８のねじ付き端１８ａ（図３Ｂを参照）を受容して、出口／吐出ケーシング、つまりフランジ１４ａ及び上タイロッド１８を連結するように構成されてよい。かかるねじ付き集合体を使用して上タイロッド１８及び出口／吐出ケーシング、つまりフランジ１４ａを連結する発明の範囲が開示されているが、発明の範囲では、これに限定されることは意図されない。例えば、出口／吐出ケーシング、つまりフランジ１４ａ内の孔１４ａ’は、例えば、上タイロッド１８、下タイロッド２０と、少なくとも１つの中間フランジ１６との間のナット−ボルト連結装置、並びに以下に記載し、すべて本発明の趣旨内である下タイロッド２０と吸込ベル、つまり入口フランジ１２ｂとの間のナット−ボルト連結装置に一致して、上タイロッド１８の端部１８ａ（図３Ｂを参照）が通り得るように構成されている他の実施形態が想定され、発明の範囲では、これを含むことが意図される。
【００３２】
更に、吸込ベル、つまり入口フランジ１２ｂは、下タイロッド２０の対応する端部（そのうちの１つは２０ａとラベル付けされる、図３Ａを参照）を受容するように、対応する孔（そのうちの１つは１２ｂ’とラベル付けされる、図３Ａを参照）を備えて構成されてよい。例として、対応する端部２０ａは、対応するねじ付き端２０ａとして構成されてよい。このナット−ボルト連結装置では、対応する孔１２ｂ’（図３Ａを参照）は、下タイロッド２０の対応するねじ付き端２０ａが吸込ベル、つまり入口フランジ１２ｂを通り、対応するねじ付きナット（そのうちの１つは２０ａとラベル付けされる）で吸込ベル、つまり入口フランジ１２ｂに固定され得るように構成されてよい。発明の範囲は、下タイロッド２０及び吸込ベル、つまり入口フランジ１２ａを連結するためにナット−ボルト連結装置を使用して開示されるが、発明の範囲では、これに限定されることは意図されない。例えば、吸込ベル、つまり入口フランジ１２ａの対応する孔１２ｂ’が、本明細書に開示されるものと一致し、本発明の趣旨内で、下タイロッド２０のねじ付き端２０ａ（図３Ｂを参照）を受容して、吸込ベル、つまり入口フランジ１２ａ及び下タイロッド２０を連結するように、対応するねじ付き孔１２ｂ’として構成されてよい、他の実施形態が想定され、発明の範囲では、これを含むことが意図される。
【００３３】
また更に、少なくとも１つの中間フランジ１６は、様々な孔（そのうちの１つは１６ｃとラベル付けされる、図３Ａ及び図３Ｃを参照）を備えて構成されてよい。様々な孔は、上タイロッド１８の対向端１８ｂ（図３Ｂ及び図３Ｃを参照）を受容して、少なくとも１つの中間フランジ１６及び出口／吐出ケーシング、つまりフランジ１４ａを連結する、孔１６ｃ（図３Ａ及び図３Ｃを参照）など第１の関連孔セットを含んでよい。第１の関連孔セット１６ｃは、上タイロッド１８のねじ付き対向端１８ｂが少なくとも１つの中間フランジ１６を通り、第１の関連ねじ付きナットセット（そのうちの１つは１６ａとラベル付けされる）で少なくとも１つの中間フランジ１６に固定され得るように構成されてよい。様々な孔はまた、下タイロッド２０の対応する対向端２０ｂ（図３Ａを参照）を受容して、少なくとも１つの中間フランジ１６及び入口、つまり吸込ベルフランジ１２ｂを連結する、孔１６ｃなど第２の関連孔セットを含んでよい。第２の関連孔セット１６ｃは、下タイロッド２０の対応するねじ付き対向端２０ｂが少なくとも１つの中間フランジ１６を通り、１６ａなど第２の関連ねじ付きナットセットで少なくとも１つの中間フランジ１６に固定され得るように構成されてよい。
【００３４】
中間フランジ取り付け部１６ｄの例（図３Ｂ及び図３Ｃ）
例として、少なくとも１つの中間フランジ１６は、少なくとも１つの中間フランジ連結部１６ｄ（図３Ｂ及び図３Ｃを参照）を含んでよく、輪切型ポンプ１０は、高圧端１４と低圧端１２との間の少なくとも１つの中間位置において少なくとも１つの中間フランジ連結部１６ｄを受容し、係合するように構成されている、隣接する輪切部、つまり段３０’、３０’’、３０’’’（図３Ｃ）を含んでよい。図３Ｃに示されるものと一致して、隣接する輪切部、つまり段３０’のうちの１つは、他の隣接する輪切部、つまり段３０’’に関して少なくとも１つの中間フランジ連結部１６ｄを受容するための切欠き部３０’ａを備えて構成されてよい。本発明は中間フランジ連結部１６ｄを使用して開示されるが、発明の範囲では、これに限定されることは意図されない。例えば、少なくとも１つの中間フランジ１６が、少なくとも１つの中間フランジ連結部１６ｄを含まない、又は基底をなす発明の趣旨の範囲内の、中間フランジ１６を１つ以上の輪切部又は段３０（図３Ａを参照）に連結するための他のタイプの装置類を含む他の実施形態が想定され、発明の範囲では、これを含むことが意図される。
【００３５】
高／低圧輪切部連結集合体の例
輪切型ポンプ１０は、ポンプシャフトＳに関して低圧端１２と高圧端１４との間に構成されている輪切部、つまり段３０を含んでよい。例として、各輪切部、つまり段３０は、ケーシング、羽根車、ディフューザー、並びに先行技術において周知のものと一致するなど他の部品／構成要素を備えて構成されてよい。発明の範囲は、周知又は将来的に今後開発されるいずれかの任意の特定タイプ又は種類の輪切部、つまり段を使用することに限定されることを意図するものではない。
【００３６】
本発明のいくつかの実施形態によると、少なくとも１つの中間タイロッド集合体は、少なくとも１つの中間フランジ１６と高圧端１４との間で第１の輪切部セット、つまり段セット３０を連結する上タイロッド１８を備える高圧中間タイロッド集合体を含んでよく、また、少なくとも１つの中間フランジ１６と低圧端１２との間で第２の輪切部セット、つまり段セット３０を連結する下タイロッド２０を備える低圧中間タイロッド集合体を含んでよい。
【００３７】
図３Ａ及び図３Ｂに示されるものと一致して、高圧中間タイロッド集合体内の上タイロッド１８の数は、例えば、流体圧は、低圧端１２から出口１４まで延在する輪切部、つまり段３０の長さに沿って実質的に直線状に増加し、したがって、高圧端内の圧力は、低圧端内の圧力も大きいと概ね理解されるという事実に基づいて、低圧中間タイロッド集合体内の対応する下タイロッド２０の数よりも多くてよい。図３Ａに示されるように、上タイロッド１８の数は６であり、そのうち４つが示され、輪切部、つまり段３０の周りに対称的に配置され、一方、下タイロッド２０の数は４であり、そのうち２つが示され、輪切部、つまり段３０の周りに対称的に配置される。発明の範囲では、高圧中間タイロッド集合体内の上タイロッド１８の任意の特定の数又は配置に限定されることが意図されるものではなく、ポンプの用途に応じて、６つ未満の上タイロッド１８又は６つ超の上タイロッド１８のいずれかを有する実施形態が想定される。更に、発明の範囲では、低圧中間タイロッド集合体内の下タイロッド２０の任意の特定の数又は配置に限定されることが意図されるものではなく、ポンプの用途に応じて、４つ未満の下タイロッド２０又は４つ超の下タイロッド２０のいずれかを有する実施形態が想定される。
【００３８】
更に、図３Ａ及び図３Ｂにも示されているものに一致して、低圧中間タイロッド集合体内で連結されている第１の輪切部セット、つまり段セット３０の数は、例えば、特定のポンプの用途に応じて、高圧中間タイロッド集合体内で連結されている、対応する第２の輪切部セット、つまり段セットの数よりも少なくてよい。しかしながら、発明の範囲では、低圧中間タイロッド集合体内の第１の輪切部セット、つまり段セット３０と、高圧中間タイロッド集合体内の第２の輪切部セット、つまり段セットとの任意の特定の関係、例えば、いずれかのセットの輪又は段の数などに限定されることは意図されない。
【００３９】
他の連結装置の例
他の実施形態は、少なくとも１つの中間フランジ及び高圧端を連結するように構成されている上カプラーと、少なくとも１つの中間フランジ及び低圧端を連結するように構成されている下カプラーと、を備える、少なくとも１つの中間フランジを有する少なくとも１つの中間連結集合体を使用して想定され、発明の範囲では、これを含むことが意図される。これらの実施形態では、上カプラー、下カプラー、及び好適な連結装置は、上タイロッド、下タイロッド、及び好適なタイロッド装置の代わりに使用されてよい。例として、上カプラー及び下カプラーは、少なくとも１つの中間フランジと高圧端、及び少なくとも１つの中間フランジと低圧端との所望の連結を達成するように好適に適合されてよい、現在周知である、若しくは将来的に今後開発されるいずれかのクランプ、及び／又は好適なクランプ装置の形態を含んでよい、又はこれらの形態であってよい。
【００４０】
発明の範囲
本明細書に特に指示がない限り、本明細書の特定の実施形態に関して記載された特徴部、特徴、代替物、又は修正のうちのいずれも、本明細書に記載の任意の他の実施形態に適用され、使用され、又は組み込まれてもよいことを理解されたい。また、本明細書の図面は、尺度どおりに描かれていない。
【００４１】
本発明がその例示的な実施形態に関して説明及び例証されてきたが、上記の及び様々な他の追加及び省略は、本発明の趣旨及び範囲から逸脱することなく、本発明において、かつ本発明に対して行われ得る。
【図１Ａ】
2019520515.tif 000003
【図１Ｂ】
2019520515.tif 000004
【図２Ａ】
2019520515.tif 000005
【図２Ｂ】
2019520515.tif 000006
【図３Ａ】
2019520515.tif 000007
【図３Ｂ】
2019520515.tif 000008
【図３Ｃ】
2019520515.tif 000009
【国際調査報告】
2019520515.tif 000010
2019520515.tif 000011
2019520515.tif 000012